(57)【要約】【課題】  メッセージサービスを利用する使用者の利便性を向上させ、別途の装置を備えることなくメッセージをバックアップし得る移動通信端末機のメッセージ管理装置及びその方法を提供する。【解決手段】  移動通信端末機のメッセージ管理方法は、移動通信端末機のメッセージ保管ボックスに保存されているメッセージのうち、予め決定された複数のメッセージを１つのファイルに生成する段階と、前記生成された１つのファイルが添付された電子メールを予め設定された電子メールアドレスに発送する段階とを含む。【選択図】  図２
2006109432.tif 000002
【特許請求の範囲】
【請求項１】
移動通信端末機のメッセージ保管ボックスに保存されているメッセージのうち、予め決定された複数のメッセージを１つのファイルに生成する段階と、
前記生成された１つのファイルが添付された電子メールを予め設定された電子メールアドレスに発送する段階と、
を含むことを特徴とする移動通信端末機のメッセージ管理方法。
【請求項２】
前記メッセージは、ショートメッセージ、ロングメッセージ、及びマルチメディアメッセージのいずれか１つであることを特徴とする請求項１に記載の移動通信端末機のメッセージ管理方法。
【請求項３】
前記予め決定された複数のメッセージは、前記メッセージ保管ボックスの保存容量が予め設定された最大保存容量未満になるように、保存期間が長い順に選択されたメッセージであることを特徴とする請求項１に記載の移動通信端末機のメッセージ管理方法。
【請求項４】
前記予め設定された最大保存容量は、移動通信端末機メーカ又は使用者により設定されることを特徴とする請求項３に記載の移動通信端末機のメッセージ管理方法。
【請求項５】
前記１つのファイルは、ファイル拡張子が「ｔｘｔ」又は「ｈｔｍｌ」であるファイルフォーマットのいずれか１つのファイルフォーマットであることを特徴とする請求項１に記載の移動通信端末機のメッセージ管理方法。
【請求項６】
前記予め設定された電子メールアドレスは、前記移動通信端末機の使用者の電子メールアドレスであることを特徴とする請求項１に記載の移動通信端末機のメッセージ管理方法。
【請求項７】
メッセージを受信したか否かを確認する段階と、
受信したメッセージを保存するメッセージ保管ボックスの保存容量と予め設定された最大保存容量とを比較する段階と、
前記メッセージ保管ボックスの保存容量が前記予め設定された最大保存容量より大きい場合、前記メッセージ保管ボックスに保存されているメッセージのうち予め決定された複数のメッセージを１つのファイルに生成する段階と、
前記生成された１つのファイルが添付された電子メールを予め設定された電子メールアドレスに発送する段階と、
前記発送された電子メールに添付された複数のメッセージを前記メッセージ保管ボックスから削除する段階と、
前記受信したメッセージを前記メッセージ保管ボックスに保存する段階と、
を含むことを特徴とする移動通信端末機のメッセージ管理方法。
【請求項８】
前記メッセージは、ショートメッセージ、ロングメッセージ、及びマルチメディアメッセージのいずれか１つであることを特徴とする請求項７に記載の移動通信端末機のメッセージ管理方法。
【請求項９】
前記予め設定された最大保存容量は、移動通信端末機メーカ又は使用者により設定されることを特徴とする請求項７に記載の移動通信端末機のメッセージ管理方法。
【請求項１０】
前記メッセージ保管ボックスの保存容量が前記予め設定された最大保存容量より小さい場合、前記受信したメッセージを前記メッセージ保管ボックスに保存する段階をさらに含むことを特徴とする請求項７に記載の移動通信端末機のメッセージ管理方法。
【請求項１１】
前記予め決定された複数のメッセージは、前記メッセージ保管ボックスの保存容量が前記予め設定された最大保存容量未満になるように、保存期間が長い順に選択されたメッセージであることを特徴とする請求項７に記載の移動通信端末機のメッセージ管理方法。
【請求項１２】
前記予め設定された最大保存容量は、移動通信端末機メーカ又は使用者により設定されることを特徴とする請求項１１に記載の移動通信端末機のメッセージ管理方法。
【請求項１３】
前記１つのファイルは、ファイル拡張子が「ｔｘｔ」又は「ｈｔｍｌ」であるファイルフォーマットのいずれか１つのファイルフォーマットであることを特徴とする請求項７に記載の移動通信端末機のメッセージ管理方法。
【請求項１４】
前記予め設定された電子メールアドレスは、前記移動通信端末機の使用者の電子メールアドレスであることを特徴とする請求項７に記載の移動通信端末機のメッセージ管理方法。
【請求項１５】
受信したメッセージを保存するメモリと、
前記保存されたメッセージのうち予め決定された複数のメッセージを１つのファイルに生成し、前記生成された１つのファイルが添付された電子メールを予め設定された電子メールアドレスに発送する制御部と、
を含むことを特徴とする移動通信端末機のメッセージ管理装置。
【請求項１６】
前記制御部は、前記発送された電子メールに添付された複数のメッセージを前記メモリから削除することを特徴とする請求項１５に記載の移動通信端末機のメッセージ管理装置。
【請求項１７】
前記メッセージは、ショートメッセージ、ロングメッセージ、及びマルチメディアメッセージを含むことを特徴とする請求項１５に記載の移動通信端末機のメッセージ管理装置。
【請求項１８】
前記１つのファイルは、ファイル拡張子が「ｔｘｔ」又は「ｈｔｍｌ」であるファイルフォーマットのいずれか１つのファイルフォーマットであることを特徴とする請求項１５に記載の移動通信端末機のメッセージ管理装置。
【請求項１９】
移動通信メッセージサービスにより、文字メッセージ又はマルチメディアメッセージを送受信するための送受信器と、
前記メッセージを保存するためのメモリと、
前記送受信器及び前記メモリと連動して少なくとも１つ以上の特定の保存されたメッセージが選択され、電子メールサーバーに送信されて保存されることにより、前記メモリの容量が超過することを防止する制御器と、
を含むことを特徴とする移動通信端末機。
【請求項２０】
前記移動通信メッセージサービスは、ショートメッセージサービス（ＳＭＳ）又はマルチメディアメッセージサービス（ＭＭＳ）であることを特徴とする請求項１９に記載の移動通信端末機。
【請求項２１】
前記特定の保存されたメッセージは、優先順位条件によって、前記制御器が自動で選択することを特徴とする請求項１９に記載の移動通信端末機。
【請求項２２】
前記優先順位条件は、保存されたメッセージのうち、保存期間が長いものから順次順位を決定するか、又は重要度が低いものから順次順位を決定することを特徴とする請求項２１に記載の移動通信端末機。
【請求項２３】
前記特定の保存されたメッセージは、使用者が具体的に選択することを特徴とする請求項１９に記載の移動通信端末機。
【請求項２４】
前記制御器は、前記選択されたメッセージを前記電子メールサーバーに送信する電子メールメッセージの添付ファイルとして添付することを特徴とする請求項１９に記載の移動通信端末機。
【請求項２５】
前記選択されたメッセージのフォーマットが、電子メールサーバーに送信可能なフォーマットに変換されることを特徴とする請求項２４に記載の移動通信端末機。
【請求項２６】
前記電子メールメッセージは、前記メモリの状態を検出した後に、自動的に又は使用者の確認により送信することを特徴とする請求項２４に記載の移動通信端末機。
【請求項２７】
前記検出されたメモリの状態は、前記メモリがフルになるか、又は現在のメモリ容量が特定のレベルに到達したことを示すことを特徴とする請求項２６に記載の移動通信端末機。
【発明の詳細な説明】
【技術分野】
【０００１】
本発明は、移動通信端末機に関し、特に、メッセージサービスを利用する使用者の利便性を向上させ、別途の装置を備えることなくメッセージをバックアップし得る移動通信端末機のメッセージ管理装置及びその方法に関する。
【背景技術】
【０００２】
一般に、移動通信端末機は、基地局により形成されるサービスエリア内で移動しながら、ＭＳＣ（Mobile Switching Center）のスイッチング制御により、いつどこでも直ちに相手を無線呼出及び無線接続して通信することができる装置であって、音声通信だけでなく、記号、数字、文字などが含まれるデータ通信、及び画像信号が含まれるマルチメディア通信が可能である。
【０００３】
このような移動通信端末機に提供される付加サービスのうち、最も多く利用されているショートメッセージサービス（Short Message Service；ＳＭＳ）は、記号、数字、文字及び図形などを使用して、相手に所望の内容のメッセージを簡単かつ正確に伝える。前記ショートメッセージサービスは、チャネル占有時間が非常に短いため、通信コストが安価であり、非リアルタイム伝送方式であるため、相手のフックオフに関係なく相手に所望の内容を正確に伝えることができるという利点がある。
【０００４】
このような利点を有する従来の移動通信端末機においては、ショートメッセージ保管ボックスに保存されているショートメッセージを、使用者の選択により削除することができる。即ち、移動通信端末機は、前記ショートメッセージを受信したとき、前記ショートメッセージ保管ボックスに保存されているショートメッセージのうち、削除を所望する複数のショートメッセージを選択して削除することにより、前記受信したショートメッセージを前記ショートメッセージ保管ボックスに保存することができる。
【０００５】
また、従来の移動通信端末機は、前記ショートメッセージ保管ボックスの保存容量に限界があるため、前記ショートメッセージ保管ボックスに保存されているショートメッセージを、ＵＳＢ（Universal Serial Bus）ポートやＵＡＲＴ（Universal Asynchronous ReceiverTransmitter）ポートを介して、コンピュータ（Personal Computer；ＰＣ）にバックアップする。
【発明の開示】
【発明が解決しようとする課題】
【０００６】
しかしながら、従来の移動通信端末機においては、ショートメッセージ保管ボックスに保存されているショートメッセージのうち１つのショートメッセージを選択して伝送するため、複数のショートメッセージを伝送するためには、１つのショートメッセージを選択して伝送する過程を複数回繰り返さなければならず、複数のショートメッセージの伝送が不便であるという問題があった。
【０００７】
また、従来の移動通信端末機においては、ショートメッセージ保管ボックスに保存されているショートメッセージをコンピュータにバックアップするためには、ＵＳＢポートやＵＡＲＴポートのような別途の装置を必要とするという不都合な点があった。
【０００８】
本発明は、このような従来技術の問題を解決するためになされたもので、メッセージ保管ボックスに保存されている複数のメッセージを１つのファイルに生成し、前記生成された１つのファイルが添付された電子メールを予め設定された電子メールアドレスに発送することにより、メッセージサービスを利用する使用者の利便性を向上させ得る移動通信端末機のメッセージ管理装置及びその方法を提供することを目的とする。
【０００９】
また、本発明の他の目的は、メッセージ保管ボックスに保存されている複数のメッセージを１つのファイルに生成し、前記生成された１つのファイルが添付された電子メールを予め設定された電子メールアドレスに発送することにより、別途の装置を備えることなくメッセージ保管ボックスに保存されているショートメッセージをバックアップし得る移動通信端末機のメッセージ管理装置及びその方法を提供することにある。
【課題を解決するための手段】
【００１０】
上記の目的を達成するために、本発明による移動通信端末機の送信メッセージ管理方法は、移動通信端末機のメッセージ保管ボックスに保存されているメッセージのうち、予め決定された複数のメッセージを１つのファイルに生成する段階と、前記生成された１つのファイルが添付された電子メールを予め設定された電子メールアドレスに発送する段階とを含むことを特徴とする。
【００１１】
また、上記の目的を達成するために、本発明による移動通信端末機の受信メッセージ管理方法は、メッセージを受信したか否かを確認する段階と、受信したメッセージを保存するメッセージ保管ボックスの保存容量と予め設定された最大保存容量とを比較する段階と、前記メッセージ保管ボックスの保存容量が前記予め設定された最大保存容量より大きい場合、前記メッセージ保管ボックスに保存されているメッセージのうち予め決定された複数のメッセージを１つのファイルに生成する段階と、前記生成された１つのファイルが添付された電子メールを予め設定された電子メールアドレスに発送する段階と、前記発送された電子メールに添付された複数のメッセージを前記メッセージ保管ボックスから削除する段階と、前記受信したメッセージを前記メッセージ保管ボックスに保存する段階とを含むことを特徴とする。
【００１２】
さらに、上記の目的を達成するために、本発明による移動通信端末機の受信メッセージ管理装置は、受信したメッセージを保存するメモリと、前記保存されたメッセージのうち予め決定された複数のメッセージを１つのファイルに生成し、前記生成された１つのファイルが添付された電子メールを予め設定された電子メールアドレスに発送する制御部とを含むことを特徴とする。
【００１３】
上記目的を達成するために、本発明は、例えば、以下の手段を提供する。
（項目１）
移動通信端末機のメッセージ保管ボックスに保存されているメッセージのうち、予め決定された複数のメッセージを１つのファイルに生成する段階と、
前記生成された１つのファイルが添付された電子メールを予め設定された電子メールアドレスに発送する段階と、
を含むことを特徴とする移動通信端末機のメッセージ管理方法。
（項目２）
前記メッセージは、ショートメッセージ、ロングメッセージ、及びマルチメディアメッセージのいずれか１つであることを特徴とする項目１に記載の移動通信端末機のメッセージ管理方法。
（項目３）
前記予め決定された複数のメッセージは、前記メッセージ保管ボックスの保存容量が予め設定された最大保存容量未満になるように、保存期間が長い順に選択されたメッセージであることを特徴とする項目１に記載の移動通信端末機のメッセージ管理方法。
（項目４）
前記予め設定された最大保存容量は、移動通信端末機メーカ又は使用者により設定されることを特徴とする項目３に記載の移動通信端末機のメッセージ管理方法。
（項目５）
前記１つのファイルは、ファイル拡張子が「ｔｘｔ」又は「ｈｔｍｌ」であるファイルフォーマットのいずれか１つのファイルフォーマットであることを特徴とする項目１に記載の移動通信端末機のメッセージ管理方法。
（項目６）
前記予め設定された電子メールアドレスは、前記移動通信端末機の使用者の電子メールアドレスであることを特徴とする項目１に記載の移動通信端末機のメッセージ管理方法。
（項目７）
メッセージを受信したか否かを確認する段階と、
受信したメッセージを保存するメッセージ保管ボックスの保存容量と予め設定された最大保存容量とを比較する段階と、
前記メッセージ保管ボックスの保存容量が前記予め設定された最大保存容量より大きい場合、前記メッセージ保管ボックスに保存されているメッセージのうち予め決定された複数のメッセージを１つのファイルに生成する段階と、
前記生成された１つのファイルが添付された電子メールを予め設定された電子メールアドレスに発送する段階と、
前記発送された電子メールに添付された複数のメッセージを前記メッセージ保管ボックスから削除する段階と、
前記受信したメッセージを前記メッセージ保管ボックスに保存する段階と、
を含むことを特徴とする移動通信端末機のメッセージ管理方法。
（項目８）
前記メッセージは、ショートメッセージ、ロングメッセージ、及びマルチメディアメッセージのいずれか１つであることを特徴とする項目７に記載の移動通信端末機のメッセージ管理方法。
（項目９）
前記予め設定された最大保存容量は、移動通信端末機メーカ又は使用者により設定されることを特徴とする項目７に記載の移動通信端末機のメッセージ管理方法。
（項目１０）
前記メッセージ保管ボックスの保存容量が前記予め設定された最大保存容量より小さい場合、前記受信したメッセージを前記メッセージ保管ボックスに保存する段階をさらに含むことを特徴とする項目７に記載の移動通信端末機のメッセージ管理方法。
（項目１１）
前記予め決定された複数のメッセージは、前記メッセージ保管ボックスの保存容量が前記予め設定された最大保存容量未満になるように、保存期間が長い順に選択されたメッセージであることを特徴とする項目７に記載の移動通信端末機のメッセージ管理方法。
（項目１２）
前記予め設定された最大保存容量は、移動通信端末機メーカ又は使用者により設定されることを特徴とする項目１１に記載の移動通信端末機のメッセージ管理方法。
（項目１３）
前記１つのファイルは、ファイル拡張子が「ｔｘｔ」又は「ｈｔｍｌ」であるファイルフォーマットのいずれか１つのファイルフォーマットであることを特徴とする項目７に記載の移動通信端末機のメッセージ管理方法。
（項目１４）
前記予め設定された電子メールアドレスは、前記移動通信端末機の使用者の電子メールアドレスであることを特徴とする項目７に記載の移動通信端末機のメッセージ管理方法。
（項目１５）
受信したメッセージを保存するメモリと、
前記保存されたメッセージのうち予め決定された複数のメッセージを１つのファイルに生成し、前記生成された１つのファイルが添付された電子メールを予め設定された電子メールアドレスに発送する制御部と、
を含むことを特徴とする移動通信端末機のメッセージ管理装置。
（項目１６）
前記制御部は、前記発送された電子メールに添付された複数のメッセージを前記メモリから削除することを特徴とする項目１５に記載の移動通信端末機のメッセージ管理装置。
（項目１７）
前記メッセージは、ショートメッセージ、ロングメッセージ、及びマルチメディアメッセージを含むことを特徴とする項目１５に記載の移動通信端末機のメッセージ管理装置。
（項目１８）
前記１つのファイルは、ファイル拡張子が「ｔｘｔ」又は「ｈｔｍｌ」であるファイルフォーマットのいずれか１つのファイルフォーマットであることを特徴とする項目１５に記載の移動通信端末機のメッセージ管理装置。
（項目１９）
移動通信メッセージサービスにより、文字メッセージ又はマルチメディアメッセージを送受信するための送受信器と、
前記メッセージを保存するためのメモリと、
前記送受信器及び前記メモリと連動して少なくとも１つ以上の特定の保存されたメッセージが選択され、電子メールサーバーに送信されて保存されることにより、前記メモリの容量が超過することを防止する制御器と、
を含むことを特徴とする移動通信端末機。
（項目２０）
前記移動通信メッセージサービスは、ショートメッセージサービス（ＳＭＳ）又はマルチメディアメッセージサービス（ＭＭＳ）であることを特徴とする項目１９に記載の移動通信端末機。
（項目２１）
前記特定の保存されたメッセージは、優先順位条件によって、前記制御器が自動で選択することを特徴とする項目１９に記載の移動通信端末機。
（項目２２）
前記優先順位条件は、保存されたメッセージのうち、保存期間が長いものから順次順位を決定するか、又は重要度が低いものから順次順位を決定することを特徴とする項目２１に記載の移動通信端末機。
（項目２３）
前記特定の保存されたメッセージは、使用者が具体的に選択することを特徴とする項目１９に記載の移動通信端末機。
（項目２４）
前記制御器は、前記選択されたメッセージを前記電子メールサーバーに送信する電子メールメッセージの添付ファイルとして添付することを特徴とする項目１９に記載の移動通信端末機。
（項目２５）
前記選択されたメッセージのフォーマットが、電子メールサーバーに送信可能なフォーマットに変換されることを特徴とする項目２４に記載の移動通信端末機。
（項目２６）
前記電子メールメッセージは、前記メモリの状態を検出した後に、自動的に又は使用者の確認により送信することを特徴とする項目２４に記載の移動通信端末機。
（項目２７）
前記検出されたメモリの状態は、前記メモリがフルになるか、又は現在のメモリ容量が特定のレベルに到達したことを示すことを特徴とする項目２６に記載の移動通信端末機。
【発明の効果】
【００１４】
本発明による移動通信端末機のメッセージ管理装置及びその方法は、複数のメッセージを１つのファイルに生成し、前記生成された１つのファイルが添付された電子メールを予め設定された電子メールアドレスに伝送することにより、複数のショートメッセージを同時に伝送することができるため、メッセージサービスを利用する使用者の利便性を向上させ得るという効果がある。
【００１５】
また、本発明による移動通信端末機のメッセージ管理装置及びその方法は、複数のメッセージを１つのファイルに生成し、前記生成された１つのファイルが添付された電子メールを予め設定された電子メールアドレスに伝送することにより、メッセージ保管ボックスに保存されているショートメッセージを、マルチメディアメッセージサービスにより別途の装置を備えることなくバックアップし得るという効果がある。
【発明を実施するための最良の形態】
【００１６】
以下、メッセージ保管ボックスに保存されている複数のメッセージを１つのファイルに生成し、前記生成された１つのファイルが添付された電子メールを予め設定された電子メールアドレスに発送することにより、メッセージサービスを利用する使用者の利便性を向上させ、別途の装置を備えることなくメッセージをバックアップし得る、本発明による移動通信端末機のメッセージ管理装置及びその方法の好ましい実施形態を添付の図面を参照して説明する。
【００１７】
ただし、本発明による移動通信端末機のメッセージ管理方法におけるメッセージは、ショートメッセージ（Short Message）、ロングメッセージ（Long Message）、及びマルチメディアメッセージ（MultimediaMessage）のいずれか１つである。
【００１８】
図１は、本発明による移動通信端末機のメッセージ管理装置を示すブロック図である。
【００１９】
図１に示すように、本発明による移動通信端末機のメッセージ管理装置は、受信したメッセージを保存するメモリ１４０と、保存された複数のメッセージを１つのファイルに生成する制御部１３０と、前記生成された１つのファイルを電子メールアドレスに発送するモデム１２０、ＲＦ部１１０及びアンテナ１００と、前記受信したメッセージを表示するディスプレイ部１５０と、前記電子メールアドレスを入力するためのキー入力部１６０とを含む。
【００２０】
このように構成された本発明による移動通信端末機のメッセージ管理装置のメッセージ管理方法を図２を参照して説明する。
【００２１】
図２に示すように、本発明による移動通信端末機のメッセージ管理方法は、メッセージを受信したか否かを確認する段階（Ｓ２００）と、受信したメッセージを保存するメッセージ保管ボックスの保存容量と予め設定された最大保存容量とを比較する段階（Ｓ２１０）と、前記メッセージ保管ボックスの保存容量が前記予め設定された最大保存容量より大きい場合、前記メッセージ保管ボックスに保存されているメッセージのうち予め決定された複数のメッセージを１つのファイルに生成する段階（Ｓ２２０）と、前記生成された１つのファイルが添付された電子メールを予め設定された電子メールアドレスに発送する段階（Ｓ２３０）と、前記発送された電子メールに添付された複数のメッセージを前記メッセージ保管ボックスから削除する段階（Ｓ２４０）と、前記受信したメッセージを前記メッセージ保管ボックスに保存する段階（Ｓ２５０）とを含む。ここで、前記メッセージ保管ボックスの保存容量が前記予め設定された最大保存容量より小さい場合、前記受信したメッセージが前記メッセージ保管ボックスに保存される。
【００２２】
以下、このような本発明による移動通信端末機のメッセージ管理方法をより詳しく説明する。
【００２３】
まず、制御部１３０は、メッセージを受信したか否かを確認し（Ｓ２００）、受信したメッセージがあると、前記受信したメッセージを保存するメッセージ保管ボックスの保存容量と予め設定された最大保存容量とを比較する（Ｓ２１０）。即ち、制御部１３０は、前記受信したメッセージの前記メッセージ保管ボックスへの保存時、前記メッセージ保管ボックスの保存容量が移動通信端末機メーカにより予め設定された最大保存容量を超過したかどうかを判断することができるため、これに適切に対処することができる。
【００２４】
その後、制御部１３０は、前記メッセージ保管ボックスの保存容量が前記予め設定された最大保存容量より大きいと、前記メッセージ保管ボックスに保存されているメッセージのうち予め決定された複数のメッセージを１つのファイルに生成し（Ｓ２２０）、前記メッセージ保管ボックスの保存容量が前記予め設定された最大保存容量より小さいと、前記受信したメッセージを前記メッセージ保管ボックスに保存する（Ｓ２５０）。ここで、前記予め決定された複数のメッセージは、前記メッセージ保管ボックスの保存容量が前記予め設定された最大保存容量未満になるように、保存期間が長い順に選択されたメッセージであり、前記生成された１つのファイルは、ファイル拡張子が「ｔｘｔ」又は「ｈｔｍｌ」であるファイルフォーマットのいずれか１つのファイルフォーマットに変換されたファイルである。
【００２５】
次に、制御部１３０は、前記生成された１つのファイルが添付された電子メールを予め設定された電子メールアドレスに発送することにより（Ｓ２３０）、使用者は、前記メッセージ保管ボックスに保存されているメッセージを自動でバックアップすることができる。ここで、前記予め設定された電子メールアドレスは、前記移動通信端末機の使用者の電子メールアドレスに設定することが好ましい。
【００２６】
その後、制御部１３０は、前記発送された電子メールに添付された複数のメッセージを前記メッセージ保管ボックスから削除し（Ｓ２４０）、前記受信したメッセージを前記メッセージ保管ボックスに保存する（Ｓ２５０）。
【００２７】
従って、前記移動通信端末機の使用者は、予め設定された電子メールアドレスにメッセージをバックアップすることができるだけでなく、前記削除された複数のメッセージの容量だけ保存容量を確保して、前記受信したメッセージを前記メッセージ保管ボックスに保存することができる。
【００２８】
本発明は、移動通信メッセージサービスにより、文字メッセージ又はマルチメディアメッセージを送受信するための送受信器（例えば、ＲＦ部１１０及びモデム１２０）と、前記メッセージを保存するためのメモリ１４０と、前記送受信器及びメモリ１４０と連動して少なくとも１つ以上の特定の保存されたメッセージが選択され、電子メールサーバーに送信されて保存されることにより、メモリ１４０の容量が超過することを防止する制御器１３０とを含むことを特徴とする移動通信端末機を提供する。
【００２９】
前記移動通信メッセージサービスは、ショートメッセージサービス（ＳＭＳ）又はマルチメディアメッセージサービス（ＭＭＳ）であり得る。前記特定の保存されたメッセージは、優先順位条件によって、制御器１３０が自動で選択することができる。前記優先順位条件は、保存されたメッセージのうち、保存期間が長いものから順次順位を決定するか、又は重要度が低いものから順次順位を決定することができる。前記特定の保存されたメッセージは、使用者が具体的に選択することができる。前記制御器は、前記選択されたメッセージを前記電子メールサーバーに送信する電子メールメッセージの添付ファイルとして添付することができる。前記選択されたメッセージのフォーマットは、電子メールサーバーに送信可能なフォーマットに変換することができる。前記電子メールメッセージは、前記メモリの状態を検出した後に、自動的に又は使用者の確認により送信することができる。前記検出されたメモリの状態は、前記メモリがフルになるか、又は現在のメモリ容量が特定のレベルに到達したことを示すことができる。
【００３０】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００３１】
メッセージサービスを利用する使用者の利便性を向上させ、別途の装置を備えることなくメッセージをバックアップし得る移動通信端末機のメッセージ管理装置及びその方法を提供する。
【００３２】
移動通信端末機のメッセージ管理方法は、移動通信端末機のメッセージ保管ボックスに保存されているメッセージのうち、予め決定された複数のメッセージを１つのファイルに生成する段階と、前記生成された１つのファイルが添付された電子メールを予め設定された電子メールアドレスに発送する段階とを含む。
【図面の簡単な説明】
【００３３】
【図１】本発明による移動通信端末機のメッセージ管理装置を示すブロック図である。
【図２】本発明による移動通信端末機のメッセージ管理方法を示すフローチャートである。
【符号の説明】
【００３４】
１００  アンテナ
１１０  ＲＦ（RadioFrequency）部
１２０  モデム
１３０  制御部
１４０  メモリ部
１５０  ディスプレイ部
１６０  キー入力部
【図１】
2006109432.tif 000003
【図２】
2006109432.tif 000004